(57)【特許請求の範囲】
【請求項１】
リング状の固定板と、該固定板の周囲に該固定板に対して回転可能に設けられたリング状回転ケーシングと、上記リング状回転ケーシングを回転駆動する駆動手段とを有し、
上記リング状回転ケーシングの内部は複数の隔壁板によって複数の収納空間に仕切られており、
上記固定板には土砂等の落下物の投入用開口部と、該投入用開口部から上記収納空間に投入された土砂等の落下物を排出するための排出用開口部とが形成されており、
主コンベアから落下した土砂等の落下物を上記投入用開口部まで搬送する移送手段を具備し、
上記投入用開口部から上記収納空間内に投入された土砂等の落下物を、上記リング状回転ケーシングの回転により上記排出用開口部まで搬送し、
上記土砂等の落下物を上記排出用開口部から排出して上記主コンベア上に戻すように構成したものであり、
上記リング状回転ケーシングの内側縁と上記固定板との間に間隙を設け、上記間隙に連通すると共に上記収納空間とは異なるリング状空間を上記収納空間に隣接して設けたものである土砂等の落下物回収装置。
【請求項２】
上記リング状回転ケーシングは断面が「コ」字状であり、上記隔壁板の内側に弾性板を有し、
該弾性板が上記リング状の固定板の外周面に接しているものである請求項１記載の土砂等の落下物回収装置。
【請求項３】
上記リング状の固定板の内部に上記主コンベアが配置され、上記主コンベアから落下した土砂等の落下物を上記投入用開口部にて回収し、当該土砂等の落下物を上記排出用開口部から上記主コンベアに戻すものである請求項１又は２に記載の土砂等の落下物回収装置。
【請求項４】
上記リング状の固定板と上記リング状回転ケーシングは、上記主コンベアに対して直交又は斜交して配置されている請求項３記載の土砂等の落下物回収装置。
【請求項５】
リング状の固定板と、該固定板の周囲に該固定板に対して回転可能に設けられたリング状回転ケーシングと、上記リング状回転ケーシングを回転駆動する駆動手段とを有し、
上記リング状回転ケーシングの内部は複数の隔壁板によって複数の収納空間に仕切られており、
上記固定板には土砂等の落下物の投入用開口部と、該投入用開口部から上記収納空間に投入された土砂等の落下物を排出するための排出用開口部とが形成されており、
主コンベアから落下した土砂等の落下物を上記投入用開口部まで搬送する移送手段を具備し、
上記投入用開口部から上記収納空間内に投入された土砂等の落下物を、上記リング状回転ケーシングの回転により上記排出用開口部まで搬送し、
上記土砂等の落下物を上記排出用開口部から排出して上記主コンベア上に戻すように構成したものであり、
上記主コンベアに隣接して上記リング状の固定板と上記リング状回転ケーシングを配置することで、上記主コンベアを上記リング状回転ケーシングのリングの外部に設置し、上記主コンベア下方に落下する土砂等の落下物を上記移送手段により上記投入用開口部に移送するように構成し、
上記排出用開口部から排出される土砂等の落下物を移送手段により上記主コンベアに戻すように構成したものである土砂等の落下物回収装置。
【発明の詳細な説明】
【技術分野】
【０００１】
本発明は、例えばシールド掘削等において発生する土砂を土砂搬出コンベアによって地上まで搬出する過程において、土砂搬出コンベアから落下した土砂を回収して土砂搬出コンベアに戻すための土砂等の落下物回収装置に関するものである。
【背景技術】
【０００２】
例えば、立坑を掘削した後、さらに地下からシールド掘削機を用いて横穴を掘削する際、発生する土砂は、地上から立坑を介して地下まで土砂搬出コンベアを設置し、シールド掘削機からスクリューコンベア等によって搬送された土砂を上記土砂搬出コンベアによって地上まで持ち上げて搬出することが行われている。
【０００３】
上記土砂搬出コンベアは、立坑の底面に配置され、シールド掘削機からの土砂を受ける横向コンベア部と、当該横向コンベア部から立坑に沿って地上まで垂直に配置された垂直コンベア部と、地上において横向きに配置された横向コンベア部とから構成されており、これらの土砂搬送コンベアの全体を被覆するケーシングが設けられている。
【０００４】
上記土砂搬送コンベアのコンベアベルトは一定間隔毎に土砂を持ち上げるための桟が設けられており、上記横向コンベア部にて上部から落下供給される土砂を、桟にて上方に持ち上げる構成である（特許文献１，２）。
【先行技術文献】
【特許文献】
【０００５】
【特許文献１】特開平９−２６８５９３号公報
【特許文献２】特開平８−２６３８号公報
【発明の概要】
【発明が解決しようとする課題】
【０００６】
ところで、上記従来の土砂搬送コンベアでは、横向コンベア部において、上方から土砂が落下供給されて搬送する際、コンベアベルトの両側から土砂がコンベア下方にこぼれ落ちるため、定期的に人力で溜まった土砂を搬送コンベア上に戻す作業を必要としており、この作業が非効率的であり、掘削作業の無人化の妨げとなっていた。
【０００７】
本発明は、上記従来の課題に鑑みてなされたものであり、例えば立坑底面において、土砂搬出用のコンベアの横向コンベア部において、コンベアベルトから落下した土砂を回収して、自動的にコンベアに戻すことのできる土砂等の落下物回収装置を提供することを目的とする。
【課題を解決するための手段】
【０００８】
上記の目的を達成するために本発明は、
リング状の固定板と、該固定板の周囲に該固定板に対して回転可能に設けられたリング状回転ケーシングと、上記リング状回転ケーシングを回転駆動する駆動手段とを有し、上記リング状回転ケーシングの内部は複数の隔壁板によって複数の収納空間に仕切られており、上記固定板には土砂等の落下物の投入用開口部と、該投入用開口部から上記収納空間に投入された土砂等の落下物を排出するための排出用開口部とが形成されており、主コンベアから落下した土砂等の落下物を上記投入用開口部まで搬送する移送手段を具備し、上記投入用開口部から上記収納空間内に投入された土砂等の落下物を、上記リング状回転ケーシングの回転により上記排出用開口部まで搬送し、上記土砂等の落下物を上記排出用開口部から排出して上記主コンベア上に戻すように構成したものであり、上記リング状回転ケーシングの内側縁と上記固定板との間に間隙を設け、上記間隙に連通すると共に上記収納空間とは異なるリング状空間を上記収納空間に隣接して設けたものである土砂等の落下物回収装置により構成される。
【０００９】
上記駆動手段は駆動モータ（Ｍ２，Ｍ３）、駆動ローラ（２８，２９）等により構成することができる。上記移送手段は例えば土砂移送コンベア（１４）により構成することができる。上記主コンベアは土砂搬送コンベア（１）により構成することができる。従って、主コンベアから落下した土砂等の落下物を移送手段にてリング状回転ケーシング内に投入し、該回転ケーシングの回転により当該土砂等の落下物を排出用開口部から主コンベアに戻すことができる。よって、主コンベアから落下する土砂等の回収を略無人化することができ、掘削工事に伴う土砂等の排出作業の効率を著しく向上することができる。上記リング状空間は、リング状ポケット（４０，４２）等により構成することができる。上記間隙は小間隙（Ｎ）により構成することができる。このように構成すると、水分の多い土砂はリング状空間に分離して搬送することができ、水分の多い土砂であっても効率的に回収が可能となる。
【００１０】
第２に、上記リング状回転ケーシングは断面が「コ」字状であり、上記隔壁板の内側に弾性板を有し、該弾性板が上記リング状の固定板の外周面に接しているものである上記第１記載の土砂等の落下物回収装置により構成される。
【００１１】
上記弾性板はゴム板（３６）により構成することができる。
【００１４】
第３に、上記リング状の固定板の内部に上記主コンベアが配置され、上記主コンベアから落下した土砂等の落下物を上記投入用開口部にて回収し、当該土砂等の落下物を上記排出用開口部から上記主コンベアに戻すものである上記第１又は２に記載の土砂等の落下物回収装置により構成される。
【００１５】
第４に、 上記リング状の固定板と上記リング状回転ケーシングは、上記主コンベアに対して直交又は斜交して配置されている上記第３記載の土砂等の落下物回収装置により構成される。
【００１６】
第５に、リング状の固定板と、該固定板の周囲に該固定板に対して回転可能に設けられたリング状回転ケーシングと、上記リング状回転ケーシングを回転駆動する駆動手段とを有し、上記リング状回転ケーシングの内部は複数の隔壁板によって複数の収納空間に仕切られており、上記固定板には土砂等の落下物の投入用開口部と、該投入用開口部から上記収納空間に投入された土砂等の落下物を排出するための排出用開口部とが形成されており、主コンベアから落下した土砂等の落下物を上記投入用開口部まで搬送する移送手段を具備し、上記投入用開口部から上記収納空間内に投入された土砂等の落下物を、上記リング状回転ケーシングの回転により上記排出用開口部まで搬送し、上記土砂等の落下物を上記排出用開口部から排出して上記主コンベア上に戻すように構成したものであり、上記主コンベアに隣接して上記リング状の固定板と上記リング状回転ケーシングを配置することで、上記主コンベアを上記リング状回転ケーシングのリングの外部に設置し、上記主コンベア下方に落下する土砂等の落下物を上記移送手段により上記投入用開口部に移送するように構成し、上記排出用開口部から排出される土砂等の落下物を移送手段により上記主コンベアに戻すように構成したものである土砂等の落下物回収装置により構成される。
【発明の効果】
【００１７】
本発明によれば、主コンベアから落下した土砂等の落下物を搬送手段にてリング状回転ケーシング内に投入し、該回転ケーシングの回転により当該土砂等の落下物を排出用開口から主コンベアに戻すことができる。よって、主コンベアから落下する土砂等の回収を略無人化することができ、掘削工事に伴う土砂等の排出作業の効率を著しく向上することができる。
【００１８】
また、水分の多い土砂はリング状空間に分離して搬送することができ、水分の多い土砂であっても効率的に回収することができる。
【図面の簡単な説明】
【００１９】
【図１】本発明に係る土砂等の落下物回収装置を土砂搬送コンベアに適用した場合の同上回収装置の側面図である。
【図２】同上装置の正面図である。
【図３】同上装置の拡大正面図である。
【図４】同上装置の拡大側面図である。
【図５】（ａ）は図３におけるロータリーエレベータのＸ−Ｘ線断面図、（ｂ）は図３におけるロータリーエレベータのＹ−Ｙ線断面図である。
【図６】（ａ）は図１の土砂等の落下物回収装置の概略図、（ｂ）は同上装置の他の実施形態であり、平行型を示す同上装置の概略図、（ｃ）は同上装置の他の実施形態であり、斜交型を示す同上装置の概略図である。
【発明を実施するための形態】
【００２０】
以下、本発明に係る土砂等の落下物回収装置について詳細に説明する。
【００２１】
図１は、立坑の底面に設置された土砂搬送コンベア１であり、本実施形態においては、図示しない地上面から垂直方向に底面Ｇまで立坑が掘削され、該底面Ｇから横方向（図１中左方向）にシールド掘削機（図示せず）により横穴を掘削していく場合において、該掘削機から排出される掘削土砂を、当該土砂搬送コンベア１にて地上まで搬送する場合を説明する。
【００２２】
上記シールド掘削機から排出される土砂は、シールド掘削機の先端部より水平方向搬送コンベア２により矢印Ａ方向に搬送され、該搬送コンベア２の後端部より下方に落下し、ホッパー３を介して下方（矢印Ｂ方向）に落下して、土砂搬送コンベア（主コンベア）１のコンベアベルト９上に供給される。
【００２３】
上記土砂搬送コンベア１のケーシング１’は、上記立坑に沿って地上から垂直方向に設置された垂直ケーシング１ａと、該垂直ケーシング１ａから横穴に沿って横方向に沿って設置されたテールケーシング１ｂとから構成されており、上記垂直ケーシング１ａは上記立坑底面Ｇに立設された機枠４，４により支持され、上記テールケーシング１ｂは上記立坑底面Ｇに立設された機枠５，５により支持されている。
【００２４】
上記テールケーシング１ｂの上記ホッパー３の下方位置、即ち該テールケーシング１ｂの上面は、上記コンベア２からの土砂を受け入れるために開口部１１が形成されている。この開口部１１は後述のリング状回転ケーシング１７の排出用開口部３４の下方位置まで開口が形成されており、上記排出用開口部３４から下方に落下する土砂等が上記コンベアベルト９上に落下供給し得るように構成されている。
【００２５】
上記土砂搬送コンベア１の上記ケーシング１’内には、地上面に設けられた図示しない駆動プーリと、上記垂直ケーシング１ａと上記テールケーシング１ｂとの接続部に設けられた変角プーリ６，７、及びテールケーシング１ｂ先端部に設けられたプーリ８間に無端のコンベアベルト９が張設されており、上記駆動プーリの回転駆動によって上記コンベアベルト９は上記ケーシング１’内を矢印Ｃ方向に駆動される。
【００２６】
このコンベアベルト９は、その上面の全域に一定間隔毎に、先端部が進行方向に屈曲した複数の横桟１０が設けられている。この横桟１０は上記コンベアベルト９の横幅の全域に設けられており、上記ホッパー３の下方を通過する際に、該ホッパー３から土砂が連続的に落下供給され、当該コンベアベルト９上面と上記横桟１０により構成される収納部１２に順次土砂が落下供給され、当該収納部１２に収納した土砂を矢印Ｃ方向に搬送するものである。
【００２７】
当該土砂搬送コンベア１の上記収納部１２に収納された土砂は、上記テールケーシング１ｂに沿って立坑方向に搬送され、上記変角プーリ６を介して垂直ケーシング１ａに沿って垂直方向に上昇して上記横桟１０によって垂直上方に搬送され、地上の端部の駆動プーリにて反転することにより、地上の別の図示しない搬送コンベア上又は土砂集積ピットに落下供給される。上記土砂を排出したコンベアベルト９は垂直ケーシシング１ａ内を再び立坑を矢印Ｃ方向に下降し、変角プーリ７を介してテールケーシング１ｂを矢印Ｃ方向に進行し、再び上記ホッパー３下方を通過することにより、連続的に上記ホッパー３から供給される土砂を地上まで搬送するものである。
【００２８】
上記テールケーシング１ｂの下方には先端部壁面１ｂ’と後端部壁面１ｂ”が設けられており、上記両壁面１ｂ’，１ｂ”間は開口部１３が設けられている。この開口部１３は、上記テールケーシング１ｂに沿う上記コンベアベルト９の略全域に対応する範囲及び立抗部分に至るように設けられており、上記コンベアベルト９から下方に落下する土砂等は上記開口部１３下方の落下土砂移送コンベア１４上に落下する。
【００２９】
この落下土砂移送コンベア（移送手段）１４は、所謂バーコンベアであり、上記開口部１３下側の全域に亘って水平に設置されている。この落下土砂移送コンベア１４の前端部には駆動スプロケット１５が設けられており、後端部には従動スプロケット１６が設けられており、当該コンベア１４は上記両スプロケット１５，１６間に掛け渡され、駆動モータＭ１による上記駆動スプロケット１５の駆動により矢印Ｄ方向に回転駆動し得るように構成されている。
【００３０】
この落下土砂移送コンベア１４は、上記テールケーシング１ｂ内を回動する上記コンベア９から下方に落下してくる土砂の内、バーコンベアを構成するバー間に留まる土砂を矢印Ｄ方向に搬送して、当該コンベア１４の前端部から次段のロータリーエレベータ１７内に落下土砂を供給するものである。
【００３１】
尚、上記落下してくる土砂中の流動物は上記コンベア１４のバー間を通過して底面Ｇに落下する。
【００３２】
上記落下土砂移送コンベア１４の前端部には、該コンベア１４に対して直角方向にロータリーエレベータ１７が設置されている。
【００３３】
このロータリーエレベータ１７は、図２に示すように、断面が長方形（図５参照）のリング状の構造物であり、内部は土砂等の落下物を運ぶための複数の収納空間Ｓが形成されている。このロータリーエレベータ１７は、図２に示すように、内側のリング状の固定板１８が、底面Ｇ上に立設された左右の垂直機枠１９ａ，１９ｂに固定されており、この固定板１８の周りに、同心に設けられた断面「コ」字状のリング状回転ケーシング２０が上記固定板１８に対して矢印Ｅ方向に回転可能に支持されている。
【００３４】
上記機枠１９ａ，１９ｂは左右方向に一定間隔離間して設けられており、上記機枠１９ａ，１９ｂ間には上記テールケーシング１ｂの先端部の一部が挿入されている（図１参照）。従って、上記機枠１９ａ，１９ｂ間には、上記テールケーシング１ｂ前端の上記プーリー８が位置すると共に、当該機枠１９ａ，１９ｂ間を上記コンベア９が走行するように構成されている。
【００３５】
さらに、図２に示すように、上記底面Ｇ上に、垂直機枠２１ａ，２１ｂと、これら垂直機枠２１ａ，２１ｂの上端を左右方向に連結する水平機枠２１ｃからなる門型機枠２１が立設され、これと同じ形状の垂直機枠２２ａ，２２ｂ及び水平機枠２２ｃからなる門型機枠２２が、上記ロータリーエレベータ１７の前後方向幅Ｔより若干大の前後方向間隔を以って、上記ロータリーエレベータ１７の前方側と後方側に設置されている（図１参照）。
【００３６】
そして、この前方側の門型機枠２１の下側左右２か所及び上側左右２か所に、ローラ２３，２４，２５，２６が軸支されており、これらのローラ２３〜２６が各々上記ロータリーエレベータ１７の上記リング状回転ケーシング２０の前方側外周面を回転可能に支持している。また、後方側の門型機枠２２の下側左右２か所及び上側左右２か所にも、ローラ２３’，２４’，２５’，２６’が軸支されており、これらのローラ２３’〜２６’が各々上記ロータリーエレベータ１７の上記リング状回転ケーシング２０の後方側外周面を回転可能に支持している。
【００３７】
さらに図３に示すように、上記機枠２１ａ，２１ｂ間に水平方向の機枠２７を設け、当該機枠２７上に駆動ローラ２８，２９を回転可能に軸支し、当該駆動ローラ２８，２９のローラ面を上記リング状回転ケーシング２０の左右下部に接触させる。さらに上記水平機枠２７の下方位置に同じく、水平機枠３０を上記機枠２１ａ，２１ｂ間に設け、当該機枠３０上に一対の駆動モータＭ２，Ｍ３を設け、各モータＭ２，Ｍ３の出力軸と上記各駆動ローラ２８，２９の駆動軸との間に駆動ベルト３０，３１を張設し、上記両駆動モータＭ２，Ｍ３を駆動することで、上記固定板１８の周りを上記リング状回転ケーシング２０が矢印Ｅ方向に回転し得るように構成する。
【００３８】
上記リング状回転ケーシング２０は、図５（ａ）（ｂ）にその断面を示すように、前後のリング状円盤２０ａ，２０ｂと、そのリング状円盤２０ａ，２０ｂの外周を接続する短円筒２０ｃを一体化したリング状の構造体であり、内部には一定間隔毎に隔壁板３２が固定されており、その結果、上記リング状カバー２０内部には、前後を上記隔壁板３２，３２により囲まれた土砂等の落下物の収納空間Ｓが複数個形成されている。
【００３９】
さらに、上記土砂移送コンベア１４の先端部の下方に対応する上記ロータリーエレベータ１７の上記固定板１８の上面位置、即ち、上記ロータリーエレベータ１７の固定板１８の最下端位置（又は下方位置）には、上記コンベア１４にて運ばれてきた土砂等の落下物をリング状回転ケーシング２０内に受け入れるための投入用開口部３３が開口形成されている。
【００４０】
また、上記ロータリーエレベータ１７の上記固定板１８上端位置（又は上方位置）には、排出用開口部３４が形成されており、当該開口部３４の下方位置にホッパー３５が設けられ、上記ロータリーエレベータ１７にて上方に持ち上げた土砂を上記コンベア９に戻すことができるように構成されている（図１、図２参照）。
【００４１】
このように本発明に係るロータリーエレベータ１７は、そのリング状回転ケーシング２０のリングの内部（リング状の固定板１８の内部）に上記土砂搬送コンベア１（主コンベア）のテールケーシング１ｂのコンベア９（主コンベア）が挿入配置され、コンベア９の下方に上記投入用開口部３３が位置し、上記コンベア９の上方に上記排出用開口部３４が位置している。即ち、コンベア９の進行方向とリング状回転ケーシング２０が直交しており、上記コンベア９の下方に位置する上記土砂移送コンベア１４の先端部の下方に、上記投入用開口部３３が位置し、上記排出用開口部３４の下方に上記コンベア９（主コンベア）が位置するように構成されている。
【００４２】
上記固定板１８と上記リング状回転ケーシング２０の上記隔壁板３２は図５に示すように構成されている。上記隔壁板３２は上記リング状回転ケーシング２０を構成するリング状円盤２０ａ，２０ｂ及び短円筒２０ｃに溶接されており、固定板１８側に一辺にゴム板（弾性体）３６が固定されており、上記ゴム板３６の内周側３６ａが上記固定板１８に接触しており、これにより上記隔壁板３２，３２間に土砂等の落下物の収納空間Ｓが形成されている。
【００４３】
また、上記固定板１８の前後両端部には、前方側のリング状固定円盤３７及び後方側のリング状固定円盤３８が設けられており、上記前方のリング状固定円盤３７と上記前方側リング状円盤２０ａとの間には、ゴム製の短円筒３９の前端部が固定されており、該ゴム製の短円筒３９の後端部３９ａは上記リング状円盤２０ａに接触している。これにより、固定板１８の前方側に、リング状ポケット（リング状空間）４０が形成されている。
【００４４】
このリング状ポケット４０と上記収納空間Ｓは上記リング状円盤２０ａの内縁と上記固定板１８との間の小間隙Ｎによって連通しており、収納空間Ｓ内に収納された水分の多い土砂は上記小間隙Ｎを介して上記リング状ポケット４０に流出するように構成されている。
【００４５】
また、上記前後のリング状固定円盤３８と上記後方側リング状円盤２０ｂとの間には、ゴム製の短円筒４１の後端部が固定されており、該ゴム製の短円筒４１の前端部４１ａは上記リング状円盤２０ｂに接触している。これにより、固定板１８の後方側に、リング状ポケット（リング状空間）４２が形成されている。
【００４６】
このリング状ポケット４２と上記収納空間Ｓは上記リング状円盤２０ｂの内縁と上記固定板１８との間の小間隙Ｎによって連通しており、収納空間Ｓ内に収納された水分の多い土砂は上記小間隙Ｎを介して上記リング状ポケット４２にも流出するように構成されている。
【００４７】
本発明に係る落下物回収装置は上述のように構成されるので、次のその動作を説明する。
【００４８】
まず、シールド掘削機によって横穴が掘られている状態で、水平方向搬送コンベア２が駆動され、かつケーシング１’内のコンベア９も矢印Ｃ方向に駆動されており、さらに駆動モータＭ１によって落下土砂移送コンベア１４も矢印Ｄ方向に駆動されているとする。また、駆動モータＭ２，Ｍ３を駆動することにより、ロータリーエレベータ１７も矢印Ｅ方向に回転駆動を行っているものとする。
【００４９】
シールド掘進機から排出される土砂は、水平方向搬送コンベア２により搬送され、ホッパー３よりテールケーシング１ｂ内に開口部１１を介して落下供給される。
【００５０】
テールケーシング１ｂ内に供給された土砂は、該ケーシング１ｂ内を走行するコンベア９の収納部１２に供給され、当該コンベア９の矢印Ｃ方向の走行により、立坑を垂直上方に搬送され、地上において別の搬送コンベア又は集積ピット内に搬入され、コンベア９はかかる動作をケーシング１’内にて循環して繰り返し行う。
【００５１】
このようなコンベア９の土砂搬送動作中に、テールケーシング１ｂにおいて、上記コンベア９から土砂等が下方に落下する。テールケーシング１ｂにおいて、下方に落下した土砂は、落下土砂移送コンベア１４によって選別され、当該コンベア１４のバー間隔より大の比較的大きな土砂は、当該コンベア１４によって矢印Ｄ方向に搬送され、当該コンベア１４先端部よりロータリーエレベータ１７内に投入用開口部３３を介して落下供給される。
【００５２】
上記ロータリーエレベータ１７は、その固定板１８に対してリング状回転ケーシング２０が矢印Ｅ方向に回転しているので、その最下端の投入用開口部３３から投入された土砂等の落下物は、リング状回転ケーシング２０内の何れかの土砂等の落下物の収納空間Ｓ内に順次投入されていく。
【００５３】
上記土砂等の収納空間Ｓ内に投入された土砂は、当該ロータリーエレベータ２０の矢印Ｅ方向の回転により、上方に搬送され、最上部に至ったところで、固定板１８の上端部の排出用開口部３４からホッパー３５を介して、上記テールケーシング１ｂ上の開口部１１から上記土砂搬送コンベア１のコンベアベルト９上、具体的には収納部１２内に回収することができる。尚、図２中に収納空間Ｓによって上方に運ばれる土砂を破線にて示している。
【００５４】
また、水分の多い土砂は、上記土砂収納空間Ｓから前後のリング状ポケット４０，４２に移行し、これらリング状ポケット４０，４２内を上方に向けて搬送される。図５（ａ）に示すように、排出用開口部３４は、上記リング状ポケット４０，４１の範囲まで開口しており、よって上記リング状ポケット４０，４２内を搬送されてきた水分の多い土砂も、当該排出用開口部３４から上記コンベア９に戻すことができ、効率的な土砂の回収を行うことができる。
【００５５】
本発明によれば、主コンベア（土砂搬送コンベア１）から落下した土砂等の落下物を搬送コンベア１４にてリング状回転ケーシング２０内に投入し、該回転ケーシング２０の回転により当該土砂等の落下物を排出用開口部３４から主コンベアに戻すことができる。よって、主コンベアから落下する土砂等の回収を略無人化することができ、掘削工事に伴う土砂等の排出作業の効率を著しく向上することができる。
【００５６】
また、水分の多い土砂はリング状空間（４０，４２）に分離して搬送することができ、水分の多い土砂であっても効率的に回収することができる。
【００５７】
本発明に係る土砂等の落下物回収装置は、上記実施形態に限定されるものではない。即ち、上記実施形態では、立抗底面のテールケーシング１ｂに設けたが、地上の横向コンベア部に設けても良いし、その他、シールド掘削機に近接して設置しても良く、土砂等の搬送コンベア近傍であって、土砂等の落下物を回収する必要のある場所であれば、どのような場所にも設置が可能である。また、土砂等の落下物をリング状回転ケーシングに移送する手段は、上記実施形態では移送コンベア１４としたが、これもコンベアに限らず、ホッパー、シュートのような移送手段であっても良い。また、２台の移送コンベア１４を互いに対向方向に走行させ、両コンベア１４の対向位置にロータリーエレベータ１７の投入用開口部３３が位置するように構成しても良い。
【００５８】
図６に本発明に係る土砂等の落下物回収装置の他の実施形態を含めて説明する。同図（ａ）は、上記実施形態と同一形式を示すものであり、ロータリーエレベータ１７のリングの内部に主コンベア９を配置し、主コンベア９の進行方向とロータリーエレベータ１７のリング状回転ケーシング２０が直交するタイプ、（ｂ）は平行型又は隣接型であって、主コンベア９の進行方向（紙面に直交方向）に平行に隣接してロータリーエレベータ１７を配置し、主コンベア９下のシュート（移送手段）５０により土砂等の落下物を回収してリング状回転ケーシング２０の投入用開口部３３に投入し、同ケーシング２０の排出用開口部３４からシュート(移送手段)５１を介して主コンベア９に戻すタイプ、（ｃ）は斜交型であって、立坑の地上に配置された主コンベア９としての横向コンベアにおいて、ロータリーエレベータ１７のリングの内部に主コンベア９を挿入配置するが、ロータリーエレベータ１７を主コンベア９に対して斜交して配置し、主コンベア９下方に配置され、互いに対向方向に移動する土砂移送コンベア１４ａ，１４ｂの中央部にリング状回転ケーシング２０の投入用開口部３３を配置したものである。このように、本発明の土砂等の落下物回収装置は、主コンベアに対してロータリーエレベータ１７を斜めに配置しても良い。このように、他の機器配置との制約がある場合は、回転ケーシング２０を斜交しても何ら支障なく回収動作を行うことができる。
【００５９】
尚、図３、図４中、符号４３は機枠２１ａ，２１ｂに軸支され、上記リング状回転ケーシング２０の前後に当接する支持ローラである。また、コンベア９の前端部はプーリ８と共にテールケーシング１ｂの前方側に移動調節が可能な構成となっている(図１参照)。
【産業上の利用可能性】
【００６０】
本発明によれば、主コンベアから土砂等の落下が生じる場合であっても、自動的に落下した土砂を回収して主コンベアに戻すことができるため、立坑掘削後、シールド掘削機で横穴を掘削する際等において、極めて有効に用いることができる。
【符号の説明】
【００６１】
１            土砂搬送コンベア（主コンベア）
９            コンベアベルト（主コンベア）
１４          土砂移送コンベア
１８          リング状固定板
２０          リング状回転ケーシング
２８，２９    駆動ローラ
３２          隔壁板
３３          投入用開口部
３４          排出用開口部
３６          ゴム板（弾性板）
４０，４２    リング状ポケット（リング状空間）
Ｍ２，Ｍ３    駆動モータ
Ｎ            間隙
Ｓ            収納空間
【図１】
0006475561.tif 000002
【図２】
0006475561.tif 000003
【図３】
0006475561.tif 000004
【図４】
0006475561.tif 000005
【図５】
0006475561.tif 000006
【図６】
0006475561.tif 000007